(57)【要約】  【課題】  畳表部を畳床部から取り外して洗浄、日干し等でき、また縫着部分がないので縫糸や畳床部内部に雑菌が繁殖することを防止でき衛生性に優れると共に、畳表部を畳床部に対して上面部を張った状態で容易に係着でき、且つ、ずれや皺の発生を防止して外観に優れる畳を提供することを目的とする。  【解決手段】  本発明の畳１は、畳床部２と、畳床部２に脱着自在に覆設される畳表部３と、を備え、畳表部３が、畳床部２の上面を覆う上面部４と、上面部４の４辺の内、横糸状物３ａに直交する２辺に上面部４と一体に形成され辺で下方に向けて略直角に折り曲げられた屈曲部４ａと、屈曲部４ａから延設された延設側面部５と、横糸状物３ａに平行な２辺に上面部４と一体に形成された係着側面部７と、係着側面部７の内側面に配設され畳床部２の側面に脱着自在に係着する係着部８と、を備えた構成を有する。【選択図】  図１
2005330764.tif 000002
【特許請求の範囲】
【請求項１】
畳床部と、前記畳床部に脱着自在に覆設される畳表部と、を備え、
前記畳表部が、前記畳床部の上面を覆う上面部と、前記上面部の４辺の内、横糸状物に直交する２辺に前記上面部と一体に形成され前記辺で下方に向けて略直角に折り曲げられた屈曲部と、前記屈曲部から延設された延設側面部と、前記横糸状物に平行な２辺に前記上面部と一体に形成された係着側面部と、前記係着側面部の内側面に配設され前記畳床部の側面に脱着自在に係着する係着部と、を備えていることを特徴とする畳。
【請求項２】
前記横糸状物が熱可塑性樹脂製の糸状物で形成されていることを特徴とする請求項１に記載の畳。
【請求項３】
前記延設側面部及び／又は前記係着側面部が、その端部を覆うように貼着された端部保護貼着部、又は、前記端部の前記横糸状物や縦糸を融着或いは接着材により接着した端部保護部を備えていることを特徴とする請求項１又は２に記載の畳。
【請求項４】
前記延設側面部及び／又は前記係着側面部が、その内側面に貼着された側面補強板、又は、前記横糸状物や縦糸を融着或いは接着材により接着した側面補強部を備えていることを特徴とする請求項１乃至３の内いずれか１項に記載の畳。
【請求項５】
前記畳床部の上面又は前記畳表部の裏面に柔軟性を有するシートが配設されていることを特徴とする請求項１乃至４の内いずれか１項に記載の畳。
【請求項６】
前記畳床部が合成樹脂製の発泡体で形成されていることを特徴とする請求項１乃至５の内いずれか１項に記載の畳。
【請求項７】
前記畳床部が、側面に下方に向かって内側に傾斜した傾斜部、又は、側面の下部側に凹部を備え、前記係着部が係着する被係着部が前記傾斜部又は前記凹部に配設されていることを特徴とする請求項１乃至６の内いずれか１項に記載の畳。
【発明の詳細な説明】
【技術分野】
【０００１】
本発明は、畳床部とそれに脱着自在に覆設される畳表部とを備えた畳に関するものである。
【背景技術】
【０００２】
従来、畳は適度の弾力性を有すると共に吸湿性に優れているため、日本住宅における伝統的な床材として広く用いられている。通常、畳は横糸状物に天然のイグサを用い縦糸に麻糸や木綿糸等を用いて編んだ畳表と、乾燥した稲わらを適度の程度の厚みになるように麻糸等で縫い固めた畳床と、により構成され、畳表は畳床の上面と側面を覆って下面で麻糸等により縫着されている。
なお、畳表としては、近年、天然のイグサの替わりに熱可塑性樹脂製の糸状物からなるいわゆる模造イグサを編んだものが用いられており、感触や外観が天然のイグサを用いたものと略同様である上に耐水性及び耐久性に優れたものとなっている。また、畳床としては、近年、木板とクッション材を積層したものや合成樹脂の発泡体等で形成されたもの等があり、耐水性に優れると共にダニ等の害虫やカビ等が繁殖し難く衛生的なものとなっている。
このような畳としては特許文献１に記載されたもの等がある。特許文献１には稲わらを用いた畳床を多孔フィルムと保護布からなる防水通気シートで包み込むこと、及び、その畳床に畳表を粘着テープや面ファスナー等の固定手段で固定することが記載されている。なお、固定手段としては粘着テープやベルクロ（登録商標）を用いることが記載されている。
【０００３】
【特許文献１】特開平５−３３１９９９号公報
【発明の開示】
【発明が解決しようとする課題】
【０００４】
しかしながら、上記従来の畳では以下のような課題を有していた。
（１）畳表として合成樹脂製の模造イグサを編んだものを用いた場合であっても、畳表面に食事中に飲料等をこぼした場合、それを拭き取るだけでは完全に取り去ることができず、特に老人ホーム等で失禁した尿やテーブルから落とした食品の油分や汁分が付着した場合は拭き取るだけでは汚れや染み、悪臭等が残り、衛生性に欠けるという課題を有していた。
（２）縫着部分の糸から尿等が染み込み、畳を干したり畳表を拭いても縫着部分の糸は畳内部に入っているので、糸に染み込んだ尿等の臭気が抜けず不快感を与えるという課題を有していた。
（３）畳を日干しして乾燥や殺菌する場合、或いは畳の交換をする場合等には畳を搬送する必要があるが、畳を搬送するのは煩雑で且つ場所を取ると共に、特に畳床として稲わらを編み固めたものを用いた場合は重量が重く、簡単に持ち運ぶことができず取り扱い性に欠けるという課題を有していた。
（４）特許文献１の畳では、畳表を畳床にただ固定しただけでは、畳表が畳床に対してずれたり皺が寄ったり、畳表の上面と側面の角部が丸くなったりし易く、特に粘着テープやベルクロ（登録商標）等の比較的固定力の弱い固定手段を用いると、この傾向が著しくなり外観に欠けるという課題を有していた。
（５）特許文献１のように畳床として稲わらを用いた場合、稲わらがダニ等の害虫の栄養源となるので畳床の内部でダニ等が繁殖して不衛生であり、さらにダニがアレルギーを発症する原因となったり抵抗力の弱い幼児等の病気の原因となったりして不衛生であるという課題を有していた。
【０００５】
本発明は、上記従来の課題を解決するもので、畳表部を畳床部から取り外して洗浄、日干し等でき、また縫着部分がないので縫糸や畳床部内部に雑菌が繁殖することを防止でき衛生性に優れると共に、畳表部を畳床部に対して上面部を張った状態で容易に係着でき、且つ、ずれや皺の発生を防止して外観に優れる畳を提供することを目的とする。
【課題を解決するための手段】
【０００６】
上記課題を解決するために本発明の畳は、以下の構成を有している。
本発明の請求項１に記載の畳は、畳床部と、前記畳床部に脱着自在に覆設される畳表部と、を備え、前記畳表部が、前記畳床部の上面を覆う上面部と、前記上面部の４辺の内、横糸状物状物に直交する２辺に前記上面部と一体に形成され前記辺で下方に向けて略直角に折り曲げられた屈曲部と、前記屈曲部から延設された延設側面部と、前記横糸状物状物に平行な２辺に前記上面部と一体に形成された係着側面部と、前記係着側面部の内側面に配設され前記畳床部の側面に脱着自在に係着する係着部と、を備えた構成を有している。
【０００７】
この構成により、以下のような作用を有する。
（１）畳表部の上面部で畳床部の上面を覆い、上面部に一体に形成された延設側面部と係着側面部で畳床部の側面を覆っているので、床等に敷設すると外観は通常の畳と変わらず同様に使用できる。
（２）畳表部が畳床部に対して脱着自在なので、畳表部を畳床部から取り外して洗浄でき、又は日干しして乾燥や殺菌等をでき、常に清潔に保つことができる。また、畳表部は漬け置き洗いが可能で、油分等の汚れも確実に落とすことができる。
（３）畳表部は、上面部と４辺の側面部で畳床部の上面と側面を覆って側面内側の係着部で係着しているだけなので、容易に取り付け及び取り外すことができ、畳表部の洗浄、日干し等を容易にできる他、畳表部の張り替え作業を業者によらずできる。
（４）畳表部の延設側面部が上面部に対して屈曲部で略直角に折り曲げられているので、延設側面部により畳床部の側部を保持して畳表部がその横糸状物に平行な方向にずれることを防止できる。また係着側面部を畳床部の側面に係着することにより畳表部が横糸状物に直交する方向にずれることを防止できる。
（５）畳表部の横糸状物に直交する２辺に延設部を形成しているので、延設側面部が簡単に外側に広がることはなく常に畳床部の側面に沿うため、畳表部のずれを確実に防止できると共に、畳を床等に敷設する際に延設側面部が広がって隣接する畳に引っ掛かることなく敷設作業を円滑にできる。
（６）畳表部の上面部はその横糸状物に直交する方向に延伸し易いが、上面部の横糸状物に平行な２辺の係着側面部に係着部を設けることにより、上面部が延伸し皺が寄った場合であってもその皺を伸ばすように上面部を張った状態で係着側面部を係着できる。
（７）畳表部を係着部により畳床部に係着しているので縫着部分がなく、畳にこぼした液体等が縫糸や縫い付けにより形成された孔から畳床部に染み込むことがないため、従来問題であった縫糸や畳床部内部に雑菌が繁殖し不衛生になったり異臭を放ったりすることがなく衛生的且つ快適に使用できる。
【０００８】
ここで、畳床部としては、稲わらを編んだもの、木板とクッション材を積層したもの、合成樹脂製の発泡体等が用いられる。なお、畳床部の表面をビニルシート等の不透水性のシートで被覆することもできる。これにより、稲わらや木板に畳表部にこぼした液体の水分が染み込んだりすることがなく、ダニやカビの繁殖を防止し衛生的に使用できる。
畳表部としては、横糸状物として天然のイグサ或いは熱可塑性樹脂製の糸状物からなるいわゆる模造イグサ等と、縦糸として綿糸、麻糸、或いはナイロン等の合成繊維等と、を編んだものが用いられる。
屈曲部の折り曲げ方法としては、折り曲げる部分の全長にわたって十分に水分を含ませたり、高浸透性の界面活性剤等を塗布したりした後、アイロン或いは焼ごて等により押圧して折り曲げる方法、高温の蒸気を吹き付けたり濡れた布を熱したものを当てながら押圧する方法、熱プレスにより熱圧成形する方法等が用いられる。折り曲げる部分を加熱することにより柔らかくなり折り曲げ作業がし易くなると共に折り曲げた後の戻り（外側への広がり等）を防止することができる。これにより、時間が経っても屈曲部が外側へ広がり難く、新品と同等の美しさを長期間保つことができ、畳を床に敷設した際にも整然として外観に優れる。
係着部及び畳床部の側面に配設される被係着部としては、面ファスナーや繰り返して使用できる粘着材等が用いられる。なお、係着部は係着側面部だけでなく延設側面部の内側面に設けてもよい。これにより、畳表部が畳床部に強固に係着されるため、畳床部に対してずれたり外れたりし難くなる。
【０００９】
本発明の請求項２に記載の畳は、請求項１に記載の発明において、前記横糸状物が熱可塑性樹脂製の糸状物で形成された構成を有している。
【００１０】
この構成により、請求項１の作用に加え、以下のような作用を有する。
（１）畳表部の横糸状物が熱可塑性樹脂製の糸状物で形成されているので、水分が横糸状物の内部まで浸透せず汚れがつき難いと共に拭くだけで汚れが取れ易く、また容易に洗浄でき常に清潔に保つことができる。また、洗浄及び乾燥を繰り返しても劣化し難く耐久性に優れる。
（２）畳表部の横糸状物が熱可塑性樹脂製なので、ダニやカビが繁殖せず常に清潔に保つことができ、幼児やアレルギー体質の人が居る部屋でも安心して使用できる。
【００１１】
ここで、熱可塑性樹脂としてはポリエチレン、ポリプロピレン、ポリ塩化ビニル、ポリスチレン、ポリ塩化ビニリデン、重縮合系のポリアミド、ポリエステル等が用いられる。熱可塑性樹脂の糸状物としては、天然のイグサを模造したもの、例えば上述した熱可塑性樹脂を幅が３０ｍｍ〜８０ｍｍ、厚みが０．０３ｍｍ〜０．０７ｍｍの帯状に成形した後、小径のノズルを通過させながら加熱収縮させて径が１ｍｍ〜２ｍｍの糸状物としたもの等が用いられる。
なお、畳表部の汚れやダニやカビの繁殖を確実に防止するために、縦糸としては合成繊維により形成されたものを用いることが好ましい。
【００１２】
本発明の請求項３に記載の畳は、請求項１又は２に記載の発明において、前記延設側面部及び／又は前記係着側面部が、その端部を覆うように貼着された端部保護貼着部、又は、前記端部の前記横糸状物や縦糸を融着或いは接着材により接着した端部保護部を備えた構成を有している。
【００１３】
この構成により、請求項１又は２の作用に加え、以下のような作用を有する。
（１）端部保護貼着部又は端部保護部により延設側面部や係着側面部の端部の横糸状物や縦糸が解れるのを防止できる。
【００１４】
ここで、端部保護貼着部としては布製や合成樹脂製の粘着テープ等が用いられる。また、端部保護粘着部を形成するには焼ごてやアイロンによる融着や熱硬化性の接着材による接着等が用いられる。
【００１５】
本発明の請求項４に記載の畳は、請求項１乃至３の内いずれか１項に記載の発明において、前記延設側面部及び／又は前記係着側面部が、その内側面に貼着された側面補強板、又は、前記横糸状物や縦糸を融着或いは接着材により接着した側面補強部を備えた構成を有している。
【００１６】
この構成により、請求項１乃至３の内いずれか１項の作用に加え、以下のような作用を有する。
（１）延設側面部や係着側面部を側面補強板又は側面補強部で補強することにより、畳表部が変形し難くなり、上面部に重量物による局部的な重量がかかっても変形による膨らみや窪み、皺等が生じ難くなり、新品と同等の美しさを長期間保つことができる。
【００１７】
ここで、側面補強板や側面補強部は延設側面部や係着側面部の全面に貼着或いは形成してもよく、その一部、例えば係着側面部の長手方向に等間隔で複数貼着する等してもよい。側面補強板としては合成樹脂板や金属板等が用いられる。側面補強部は焼ごてにより横糸状物や縦糸を融着することにより、又は溶融した合成樹脂等を塗布後、固化させることにより形成することができる。
【００１８】
本発明の請求項５に記載の畳は、前記畳床部の上面又は前記畳表部の裏面に柔軟性を有するシートが配設された構成を有している。
【００１９】
この構成により、請求項１乃至４の内いずれか１項の作用に加え、以下のような作用を有する。
（１）畳床部の上面又は畳表部の裏面に柔軟性を有するシートを配設することにより、畳表部表面を踏んだときの感触が柔らかくなり、足触りをよくすることができる。
（２）シートを畳床部の上面に接着等して配設した場合はシートにより畳床部が補強されるためその耐久性を高めることができる。
【００２０】
ここで、シートとしては柔軟性と共に不透水性を有するものが用いられる。具体的には、床クロス、ソフトクロス、ビニルシート等が用いられる。
【００２１】
本発明の請求項６に記載の畳は、請求項１乃至５の内いずれか１項に記載の発明において、前記畳床部が合成樹脂製の発泡体で形成された構成を有している。
【００２２】
この構成により、請求項１乃至５の内いずれか１項の作用に加え、以下のような作用を有する。
（１）畳床部が硬質性の発泡体で形成されているので、畳表部表面を踏んだときの感触が適度に柔らかくなりクッション性を高めることができると共に、畳床部が軽量になり取り扱いや搬送が容易にできる。
（２）畳床部が合成樹脂製の発泡体で形成されているので、畳床部の内部でダニやカビが繁殖せず常に清潔に保つことができ、幼児やアレルギー体質の人が居る部屋でも安心して使用できる。
（３）幼児や老人等が転倒した際でも、柔軟性があるので衝撃を吸収し怪我を防ぎ安全性に優れる。
【００２３】
ここで、発泡体としては、ポリウレタン、ＥＶＡ、架橋ポリエチレン、ポリプロピレン、ポリエチレン等の発泡体や、ウレタンフォームや発泡スチロール等が用いられる。
また、発泡体やその他の畳床部の芯材を被覆する被覆部を設けてもよい。被覆部としては、ビニルシート等の合成樹脂製のシートが用いられる。被覆部は、合成樹脂製等のシートをつぎ合わせたものや袋状のもの等を用いることができる。この場合、シートの合せ目部分は融着又は接着により水密に接合する。また、被覆部の内側面や発泡体の表面に接着材を塗布して被覆部を発泡体に接着固定することもできる。また、延伸フィルムやシュリンクフィルム等により発泡体を覆った後、加熱収縮させて発泡体の表面に密着した被覆部を形成することもできる。これにより、発泡体等の畳床部の芯材に水分が侵入することがなく、尿や油分等の侵入及びダニやカビの繁殖を防止でき、常に清潔に保つことができる。
【００２４】
本発明の請求項７に記載の畳は、請求項１乃至６の内いずれか１項に記載の発明において、前記畳床部が、側面に下方に向かって内側に傾斜した傾斜部、又は、側面の下部側に凹部を備え、前記係着部が係着する被係着部が前記傾斜部又は前記凹部に配設された構成を有している。
【００２５】
この構成により、請求項１乃至６の内いずれか１項の作用に加え、以下のような作用を有する。
（１）傾斜部又は凹部に被係着部を配設することにより、係着部及び被係着部、或いは側面補強板の厚みにより畳の側面が膨出するのを防ぎ、床等に敷設した際に膨出部により寸法誤差が生じて敷設できなくなったり隣り合う畳の間がきつくなって歪みが生じたりすることなく整然と敷設することができる。
【００２６】
ここで、傾斜部の角度や凹部を大きさは、係着部及び被係着部、或いは側面補強板の厚みにより、傾斜角度として５°〜１０°、凹部としては幅２ｃｍ〜４ｃｍ、深さ２ｍｍ〜１０ｍｍ程度に設定される。傾斜部の角度が５°より小さくなるにつれ係着部及び被係着部、或いは側面補強板の厚みにより畳の側面が膨出するため好ましくなく、１０°より大きくなるにつれ床等に敷設した際に隣り合う畳間に形成される間隙が大きくなり畳がずれ易くなるため好ましくない。
なお、延設側面部及び脱着側面部の側端部には、上面部の角部で突き合わされる側端部同士が重ならないように、下方に向かって内側に傾斜した傾斜端部を形成することができる。傾斜端部は畳床部の傾斜部に沿った角度で形成することもできる。これにより、床等に敷設した場合に延設側面部及び脱着側面部の両側端部が余って互いに重なることがなく、上面部に皺が生じたり隣り合う畳の間がきつくなって歪みが生じたりすることを防止できる。
【発明の効果】
【００２７】
以上説明したように本発明の畳によれば、以下のような有利な効果が得られる。
請求項１に記載の発明によれば、
（１）畳表部が畳床部に対して脱着自在なので、畳表部を畳床部から取り外して洗浄でき、又は日干しして乾燥や殺菌等をでき、また、漬け置き洗いが可能で油分等の汚れも確実に落とすことができ、常に清潔に保つことができる衛生性に優れた畳を提供することができる。
（２）畳表部は側面内側の係着部で畳床部に係着されているだけなので、容易に取り付け及び取り外すことができ、畳表部の洗浄、日干し等を容易にできる他、畳表部の張り替え作業を業者によらずできる使用性に優れた畳を提供することができる。
（３）畳表部の延設側面部が上面部に対して屈曲部で略直角に折り曲げられているので、延設側面部により畳床部の側部を保持して畳表部がその横糸状物に平行な方向にずれることを防止でき、畳表部にずれや皺が生じるのを防止できると共に、畳を床等に敷設する際に延設側面部が広がって隣接する畳に引っ掛かることなく敷設作業を円滑にできる敷設作業性に優れた畳を提供することができる。
（４）上面部の横糸状物に平行な２辺の係着側面部に係着部を設けることにより、上面部が延伸し皺が寄った場合であってもその皺を伸ばすように上面部を張った状態で係着側面部を係着でき、ずれや皺が生じるのを防止して外観に優れた畳を提供することができる。
（５）畳表部を係着部により畳床部に係着しているので縫着部分がなく、畳にこぼした液体等が縫糸や縫い付けにより形成された孔から畳床部に染み込むことがないため、従来問題であった縫糸や畳床部内部に雑菌が繁殖し不衛生になったり異臭を放ったりすることがなく衛生性に優れた畳を提供することができる。
【００２８】
請求項２に記載の発明によれば、請求項１の効果に加え、
（１）畳表部の横糸状物が熱可塑性樹脂製の糸状物で形成されているので、水分が糸状物の内部まで浸透せず汚れがつき難いと共に拭くだけで汚れが取れ易く、また容易に洗浄でき常に清潔に保つことができ洗浄が容易で、且つ洗浄及び乾燥を繰り返しても劣化し難く耐久性に優れた畳を提供することができる。
（２）畳表部の横糸状物が熱可塑性樹脂製なので、ダニやカビが繁殖せず常に清潔に保つことができ、幼児やアレルギー体質の人が居る部屋でも安心して使用できる衛生性に優れた畳を提供することができる。
【００２９】
請求項３に記載の発明によれば、請求項１又は２の効果に加え、
（１）端部保護貼着部又は端部保護部により延設側面部や係着側面部の端部の横糸状物や縦糸が解れるのを防止でき、繰り返し使用しても解れることなく耐久性に優れた畳を提供することができる。
【００３０】
請求項４に記載の発明によれば、請求項１乃至３の内いずれか１項の効果に加え、
（１）延設側面部や係着側面部を側面補強板又は側面補強部で補強することにより、新品と同等の美しさを長期間保つことができる畳を提供することができる。
【００３１】
請求項５に記載の発明によれば、請求項１乃至４の内いずれか１項の効果に加え、
（１）畳床部の上面又は畳表部の裏面に柔軟性を有するシートを敷設することにより、畳表部表面を踏んだときの感触が柔らかくなり、足触りをよくすることができる使用性に優れた畳を提供することができる。
（２）シートにより畳床部が補強されるためその耐久性を高めることができる畳を提供することができる。
【００３２】
請求項６に記載の発明によれば、請求項１乃至５の内いずれか１項の効果に加え、
（１）畳床部が硬質性の発泡体で形成されているので、畳表部表面を踏んだときの感触が適度に柔らかくなりクッション性に優れた畳を提供することができる。
（２）畳床部が軽量になり取り扱いや搬送が容易にできる取り扱い性に優れた畳を提供することができる。
（３）畳床部が合成樹脂製の発泡体で形成されているので、畳床部の内部でダニやカビが繁殖せず常に清潔に保つことができ、幼児やアレルギー体質の人が居る部屋でも安心して使用できる衛生性に優れた畳を提供することができる。
（４）幼児や老人等が転倒した際でも、柔軟性があるので衝撃を吸収し怪我を防ぎ安全性に優れた畳を提供することができる。
【００３３】
請求項７に記載の発明によれば、請求項１乃至６の内いずれか１項の効果に加え、
（１）傾斜部又は凹部に被係着部を配設することにより、係着部及び被係着部、或いは側面補強板の厚みにより畳の側面が膨出するのを防ぎ、床等に整然と敷設することができる畳を提供することができる。
【発明を実施するための最良の形態】
【００３４】
以下、本発明の一実施の形態について、図１乃至図４を用いて説明する。
（実施の形態１）
図１は実施の形態１における畳の畳床部から畳表部を取り外した状態を示す要部斜視図であり、図２は実施の形態１における畳の畳床部に畳表部を取り付けた状態を示す要部斜視図であり、図３（ａ）は図２のＡ−Ｂ−Ｃ線の組合せ断面図であり、図３（ｂ）は畳表部の表面の要部拡大図である。
図中、１は実施の形態１における畳、２は畳床部、３は畳表部、４は畳床部２の上面を覆う畳表部３の上面部、４ａは上面部４の横糸状物に直交する辺に形成された屈曲部、５は屈曲部４ａに延設された延設側面部、５ａは延設側面部５の両側端部に形成された傾斜端部、６は延設側面部５の端部を覆うように貼着された端部保護貼着部、７は上面部４の横糸状物に平行な辺に形成された係着側面部、７ａは係着側面部７の両側端部に形成された傾斜端部、８は係着側面部７の内側面の下部に接着や縫着で貼着固定された面ファスナーや粘着体からなる係着部、１０は後述の被覆部１０ｂにより全面が被覆された発泡体１０ａからなる畳床本体、１１は畳床本体１０の側面に貼着等で固定され係着部８が係着する面ファスナー等からなる被係着部、１２は畳床本体１０の上面に敷設された上面シートである。なおＸは畳表部３の横糸状物に沿った方向を示す。
図３において、３ａは横糸状物、３ｂは縦糸、１０ａは発泡体、１０ｂは被覆部、１３は畳床本体１０の側面に形成された傾斜部、１４は係着側面部７の下端部を溶融して横糸状物や縦糸同士を融着した端部保護部である。
ここで、畳表部３は熱可塑性樹脂製の横糸状物３ａと、合成繊維等からなる縦糸３ｂを編んで形成され、その上面部４と一対の延設側面部５と一対の係着側面部７は一体に形成されている。屈曲部４ａは、濡れた布を当てながら焼ごてやアイロン等を押し当てて折り曲げ形成されている。
傾斜端部５ａ，７ａは、延設側面部５及び係着側面部７の両側端部を下方に向かって内側に切り落として形成されている。なお、傾斜端部５ａ，７ａの縁部は端部保護部１４と同様に融着して横糸状物３ａや縦糸３ｂの解れを防ぐことができる。
畳床本体１０の側面には下方に向かって内側に傾斜した傾斜部１３が形成されている。傾斜部１３の傾斜角度は係着部８や被係着部１１の厚みにもよるが、５°〜１０°に設定されている。なお、傾斜端部５ａ，７ａの傾斜角度も同様に設定することができる。
なお、本実施の形態１では縦約１ｍ、横約１ｍ、厚み約５ｃｍの畳について説明しているが、縦約２ｍ、横約１ｍの１畳用の畳であってもよく、或いは厚み１ｃｍ〜２ｃｍの薄畳であってもよい。
【００３５】
以上のように本実施の形態１における畳１は構成されているので、以下のような作用を有する。
（１）畳表部３は、上面部４と延設側面部５と係着側面部７で畳床部２の上面と側面を覆って係着側面部７の内側面の係着部８で係着しているだけなので、容易に畳床部２から取り付け及び取り外しでき、畳表部３を洗浄、日干しして乾燥や殺菌、又は漬け置き洗い等でき、常に畳表部３を清潔に保つことができる。
（２）畳表部３を係着部８により畳床部２に係着しているので縫着部分がなく、畳にこぼした液体等が縫糸に染み込むことがないため、従来問題であった縫糸に雑菌が繁殖し不衛生になったり異臭を放ったりすることがなく衛生的に使用できる。
（３）畳表部３の屈曲部４ａは、濡れた布を当てながら焼ごて等を押し当てることにより上面部４に対して略直角に折り曲げ変形されているので、一対の延設側面部５により畳床部２の両側部を保持して畳表部３が畳床部２に対してずれることを防止できる。また、屈曲部４ａが折り曲げ変形されているので、延設側面部５は簡単に外側に広がることはなく、畳１を床等に敷設する際に延設側面部５が広がって隣接する畳に引っ掛かることなく敷設作業を円滑にできる。
（４）係着側面部７を畳床部２の側面の被係着部８に係着することで、畳表部３が横糸状物３ａに直交する方向にずれることを防止できる。また、上面部４が延伸しその表面に皺が寄った場合であってもその皺を伸ばすように上面部４を張った状態で係着できるので、上面部４にたるみやずれ、皺が生じるのを防止し、新品の畳に勝るとも劣らない外観の美しさを長期間保つことができる。
（５）畳表部３が熱可塑性樹脂の横糸状物３ａと縦糸３ｂを密に編んで形成されているので、水分が横糸状物３ａの内部まで浸透せず汚れがつき難いと共に拭くだけで汚れが取れ易く、また容易に洗浄でき常に清潔に保つことができる。また、洗浄及び乾燥を繰り返しても劣化し難く、長期間使用できる。
（６）畳表部３が熱可塑性樹脂製の横糸状物３ａと合成繊維からなる縦糸３ｂにより形成されると共に畳床部２がビニルシート等の被覆部１０ｂで被覆された合成樹脂の発泡体１０ａからなるので、ダニやカビが全く繁殖せず常に清潔に保つことができ、幼児やアレルギー体質の人が居る部屋でも安心して使用できる。
（７）端部保護貼着部６や端部保護部１４により延設側面部５や係着側面部７の端部の横糸状物３ａや縦糸３ｂが解れるのを防止でき、取り扱い性に優れる。
（８）畳床本体１０の上面に柔軟性を有する上面シート１２を敷設しているので、畳表部３の表面を踏んだときの感触が天然の畳と同等の弾力性を有し、足触りをよくすることができると共に、上面シート１２により畳床本体１０が補強されるためその耐久性を高めることができる。
（９）畳床部２の側面に傾斜部１３が形成されると共に、傾斜部１３に被係着部１１が配設されているので、係着部８及び被係着部１１の厚みにより畳１の側面が膨出するのを防ぎ、床等に敷設した際に膨出部により寸法誤差が生じて敷設できなくなったり隣り合う畳の間がきつくなって歪みが生じたりすることなく整然と敷設することができる。
（１０）延設側面部５及び脱着側面部７の両側端部に傾斜端部５ａ，７ａが形成されているので、畳１を床等に敷設した場合に延設側面部５及び脱着側面部７の両側端部が余って互いに重なることがなく、上面部４に皺が生じたり隣り合う畳の間がきつくなって歪みが生じたりすることを防止でき。
【００３６】
（実施の形態２）
図４は本実施の形態２における畳の要部組合せ断面図である。
図４において、１５は係着側面部７の内側面に貼着固定された合成樹脂板からなる側面補強板、１６は延設側面部５に溶融した合成樹脂等を塗布後、固化させることにより形成した側面補強部、１７は延設側面部５の下端部に形成された端部保護部である。
以上のように構成された本実施の形態２における畳が実施の形態１と異なる点は、側面補強板１５、側面補強部１６を備えている点、及び、延設側面部５の端部に端部保護貼着部６の替わりに端部保護部１７を形成している点である。なお、図４に示すように係着側面部７の端部には実施の形態１で説明した端部保護部１４を設けなくてもよい。
【００３７】
以上のように本実施の形態２における畳は構成されているので、実施の形態１の作用に加え、以下のような作用を有する。
（１）延設側面部５や係着側面部７を側面補強部１６や側面補強板１５で補強することにより、畳表部３が変形し難くなり、家具や机等の重量物が載っても上面部４に変形による膨らみや窪み、皺等が生じ難く長期間外観の美しさを保つことができる。
【産業上の利用可能性】
【００３８】
以上説明したように、本発明は畳床部とそれに脱着自在に覆設される畳表部とを備えた畳に関し、特に本発明によれば、畳表部を畳床部から取り外して洗浄、日干し等でき、また縫着部分がないので縫糸や畳床部内部に雑菌が繁殖することを防止でき衛生性に優れると共に、畳表部を畳床部に対して上面部を張った状態で容易に係着でき、且つ、ずれや皺の発生を防止して外観に優れる畳を提供することができる。
【図面の簡単な説明】
【００３９】
【図１】実施の形態１における畳の畳床部から畳表部を取り外した状態を示す要部斜視図
【図２】実施の形態１における畳の畳床部に畳表部を取り付けた状態を示す要部斜視図
【図３】（ａ）図２のＡ−Ｂ−Ｃ線の組合せ断面図（ｂ）畳表部の表面の要部拡大図
【図４】実施の形態２における畳の要部組合せ断面図
【符号の説明】
【００４０】
１  畳
２  畳床部
３  畳表部
３ａ  横糸状物
３ｂ  縦糸
４  上面部
４ａ  屈曲部
５  延設側面部
５ａ，７ａ  傾斜端部
６  端部保護貼着部
７  係着側面部
８  係着部
１０  畳床本体
１０ａ  発泡体
１０ｂ  被覆部
１１  被係着部
１２  上面シート
１３  傾斜部
１４，１７  端部保護部
１５  側面補強板
１６  側面補強部
【図１】
2005330764.tif 000003
【図２】
2005330764.tif 000004
【図３】
2005330764.tif 000005
【図４】
2005330764.tif 000006